(57)【要約】      （修正有）【課題】養殖貝類の生存率を向上させ、安定生産を達成できる貝類養殖システムを提供する。【解決手段】貝類養殖システムは、養殖槽１０と、上蓋２０と、グリッド３０とを含む。養殖槽１０には養殖用の栄養水が注入され、上蓋２０は養殖槽１０の上を覆い、グリッド３０は多層の養殖網を有し、養殖槽１０の中に置かれる。養殖槽１０内で多層の養殖網を有する多層グリッドを用い、各養殖網に貝類を置くことで養殖面積を大幅に増やし、生産量を増やすことができる。成長後の貝類の採取時、グリッド３０を養殖槽１０から持ち上げて採取することで採取の手間を節約することができる。【選択図】図１
0003227885.tif 000002
【実用新案登録請求の範囲】
【請求項１】
養殖槽と、上蓋と、グリッドとを含み、
前記養殖槽には、養殖用の栄養水が注入されており、
前記上蓋は、前記養殖槽の上を覆っており、
前記グリッドは、多層の養殖網を有し、貝類養殖のために前記養殖槽の中に置かれ、
各前記養殖網の外周には支持外輪が設けられ、内周には支持内輪が設けられ、各前記支持外輪には、固定支持用の複数の垂直支持ロッドが設けられ、前記養殖網の底部にある前記支持外輪と前記支持内輪の間に固定支持用の複数の水平支持ロッドが設けられ、前記養殖網の上部にある前記垂直支持ロッドの末端には、おのおの上向きに傾斜して延伸された吊り下げ支持ロッドが設けられ、各前記吊り下げ支持ロッドは共にＬＥＤを通すための中空構造を有する吊り下げリングに接続され、各前記支持内輪も同じく前記ＬＥＤを通すための中空構造を有し、
各前記養殖網に貝類を置いて養殖することで、前記養殖網の層数に応じて養殖面積を増やして貝類の生産量を増やし、また成長後の貝類の採取時に前記上蓋を取り外し、前記グリッドを前記養殖槽から持ち上げて採取することで採取の手間を節約することを特徴とする貝類養殖システム。
【請求項２】
各前記養殖網にある前記水平支持ロッドには、対流を発生させるために傾斜した導流板が設けられ、前記導流板は固定式、可動式のいずれかであることを特徴とする請求項１に記載の貝類養殖システム。
【請求項３】
前記導流板には、乱流を生成するための少なくとも一つの傾斜したスポイラーフィンが設けられることを特徴とする請求項２に記載の貝類養殖システム。
【請求項４】
前記スポイラーフィンは、柔らかい素材で作られることを特徴とする請求項３に記載の貝類養殖システム。
【請求項５】
前記導流板の傾斜角度は、３０度であることを特徴とする請求項３に記載の貝類養殖システム。
【請求項６】
前記導流板と前記スポイラーフィンとの間の角度は、１０度〜１５度に設定されることを特徴とする請求項３に記載の貝類養殖システム。
【請求項７】
前記導流板と前記スポイラーフィンとの間の角度は、１５度であることを特徴とする請求項６に記載の貝類養殖システム。
【請求項８】
前記固定式の導流板の傾斜角度は、１０度〜４５度に設定され、前記可動式の導流板のスイング角度範囲は、１０度〜４５度に設定されることを特徴とする請求項２に記載の貝類養殖システム。
【請求項９】
前記固定式の導流板の傾斜角度は、１５度であることを特徴とする請求項２に記載の貝類養殖システム。
【請求項１０】
前記養殖網は、前記支持内輪と前記支持外輪の間に配置され、また前記養殖網は、ナイロンロープやプラスチックロープやステンレス鋼線などがメッシュに織られることで作られることを特徴とする請求項１に記載の貝類養殖システム。
【請求項１１】
前記上蓋の中央に、前記ＬＥＤをロックして前記ＬＥＤに電気的に接続するためのフランジが設けられることを特徴とする請求項１に記載の貝類養殖システム。
【請求項１２】
前記上蓋は、制御ユニットを有し、前記制御ユニットは、前記ＬＥＤに電気的に接続されて、前記ＬＥＤのスペクトル、光度、水温の最適化調整を行い、貝類の成長のために最適化された環境要因を提供することを特徴とする請求項１に記載の貝類養殖システム。
【請求項１３】
前記ＬＥＤは、蛍光灯、白熱灯のいずれかに交換可能であることを特徴とする請求項１、１１、１２のいずれか一項に記載の貝類養殖システム。
【請求項１４】
前記養殖槽の排水口に、前記栄養水の循環出口及び不純物と廃水の出口となるスイッチが固定設置されることを特徴とする請求項１に記載の貝類養殖システム。
【請求項１５】
前記養殖槽及び前記グリッドは、円形、正方形、等角多角形、楕円形、及び梅花形のいずれかの形状に作られることを特徴とする請求項１に記載の貝類養殖システム。
【請求項１６】
前記養殖槽の底部は、アーク形状に設置されることを特徴とする請求項１に記載の貝類養殖システム。
【請求項１７】
前記養殖槽の内部の底部には、アーク形状のフィルターが設置されることを特徴とする請求項１に記載の貝類養殖システム。
【考案の詳細な説明】
【技術分野】
【０００１】
本考案は、貝類養殖システムに関して、特に多層グリッドで貝類を養殖するための装置に関する。
【背景技術】
【０００２】
現在、アサリ、ホタテ、アワビ、とこぶし、貽貝、マテ貝、泥貝などの貝類の養殖は、主に沿岸地域で行われる。開放水循環方式を採用しているため、養殖過程ではバクテリアを完全に制御することができず、養殖の温度、光、降水による塩分の変化を適切に制御することができないうえ、養殖における不安定な生存率は問題となっている。
【０００３】
また、海水で育った天然珪藻は貝類を養殖するための主な飼料（栄養素）となっているが、供給できる飼料の数量は自然環境の影響を受けやすく、養殖過程では、貝類の成長に必要な栄養素を十分に供給できないことがあり、その場合は貝類の成長速度が遅くなる。
【０００４】
さらに、沿岸の生態環境の変化や陸域の汚染により、貝類養殖における生存率は非常に低く、大量死滅現象さえ発生しており、産業の発展に深刻な影響を与えている。
【０００５】
したがって、既存の屋外養殖法では良好な成長環境を提供できないため、貝類は、栄養素の供給状況、外部環境の変化および／または病気感染により死滅する可能性がある。よって、現状では養殖貝類の生存率を向上させることができず、安定生産という目標を達成することができない。
【考案の概要】
【考案が解決しようとする課題】
【０００６】
この問題を解決するため、産業界では養殖槽の養殖方法を採用している。しかし、貝類の養殖では水質に対する要求水準が高く、養殖槽に餌を長期間給餌すると餌料や貝類の排泄物が残存し、水質を変化させる可能性がある。同時に、貝類は水温や塩分濃度の変化があると生長しやすいため、貝類の養殖では水を毎日交換する必要があるが、この作業に手間がかかるため、時間と労力を要する。また、養殖槽を用いた養殖法では、成長した貝類の採取時に非常に不便であり、採取のための人件費も非常に高い。よって改善する必要がある。
【０００７】
本考案者は、従来の貝類養殖産業における前述の問題、及び長年の研究開発及び養殖経験に鑑み、問題点を徹底的に観察して研究を行い、数多くの実験と改良作業を経た結果、革新的な貝類養殖システムを開発した。
【課題を解決するための手段】
【０００８】
本考案の貝類養殖システムは、養殖槽と、上蓋と、グリッドを含む。
前記養殖槽は、前記養殖用の栄養水が注入されている。
前記上蓋は、前記養殖槽の上を覆っている。
前記グリッドは、多層の養殖網を有し、貝類養殖のために前記養殖槽に置かれている。
各前記養殖網の外周には支持外輪が設けられ、内周には支持内輪が設けられている。各前記支持外輪には、固定支持用の複数の垂直支持ロッドが設けられ、前記養殖網の底部にある前記支持外輪と前記支持内輪の間に複数の水平支持ロッドが設けられ、前記養殖網の上部にある前記垂直支持ロッドの末端には、おのおの上向きに傾斜して延伸された吊り下げ支持ロッドが設けられ、各前記吊り下げ支持ロッドは共にＬＥＤを通すための中空構造を有する吊り下げリングに接続され、各前記支持内輪も同じく前記ＬＥＤを通すための中空構造を有する。
各前記養殖網に貝類を置いて養殖することで、養殖面積を増やして貝類の生産量を増やす。また成長後の貝類の採取時に前記上蓋を外し、前記グリッドを前記養殖槽から持ち上げて採取することで採取の手間を節約する。
【０００９】
好ましくは、各前記養殖網にある前記水平支持ロッドには、対流を発生させるために傾斜した導流板が設けられ、前記導流板は固定式、可動式のいずれかである。
【００１０】
好ましくは、前記導流板には、乱流を生成するための少なくとも一つの傾斜したスポイラーフィンが設けられる。
好ましくは、前記スポイラーフィンは、柔らかい素材で作られている。
好ましくは、前記導流板の傾斜角度は、３０度である。
好ましくは、前記導流板と前記スポイラーフィンとの間の角度は、１０度〜１５度に設定される。
さらに好ましくは、前記導流板と前記スポイラーフィンとの間の角度は、１５度である。
【００１１】
好ましくは、前記固定式の導流板の傾斜角度は、１０度〜４５度に設定され、前記可動式の導流板のスイング角度範囲は、１０度〜４５度に設定される。
【００１２】
さらに好ましくは、前記固定式の導流板の傾斜角度は、１５度である。
【００１３】
好ましくは、前記養殖網は、前記支持内輪と前記支持外輪の間に配置され、また前記養殖網は、ナイロンロープやプラスチックロープやステンレス鋼線などがメッシュ状に織られることで作られる。
【００１４】
好ましくは、前記上蓋の中央に、前記ＬＥＤをロックして前記ＬＥＤに電気的に接続するためのフランジが設置される。
好ましくは、前記ＬＥＤは、蛍光灯、白熱灯のいずれかに交換可能である。
【００１５】
好ましくは、前記上蓋は、制御ユニットを有し、前記制御ユニットは、前記ＬＥＤに電気的に接続されて、前記ＬＥＤのスペクトル、光度、水温の最適化調整を行い、貝類の成長のために最適化された環境要因を提供する。
【００１６】
好ましくは、前記貝類養殖システムの前記ＬＥＤは、蛍光灯、白熱灯のいずれかに交換可能である。
【００１７】
好ましくは、前記養殖槽の排水口に、前記栄養水の循環出口及び不純物と廃水の出口となるスイッチが固定設置される。
【００１８】
好ましくは、前記養殖槽及び前記グリッドは、円形、正方形、等角多角形、楕円形、及び梅花形のいずれかの形状に作られる。
【００１９】
好ましくは、前記養殖槽の底部は、アーク形状に設置される。
【００２０】
好ましくは、前記養殖槽の内部の底部には、アーク形状のフィルターが設置される。
【００２１】
以下、本発明の技術的特徴と本発明が達成する効果をよりよく理解するために、好ましい実施形態の図面および詳細な説明を使用して説明する。
【図面の簡単な説明】
【００２２】
【図１】本考案の第１実施形態の組合せ斜視図である。
【図２】本考案の第１実施形態の分解斜視図である。
【図３】本考案の第１実施形態によるグリッドの斜視図である。
【図４】本考案の第１実施形態の組合せ断面図である。
【図５】本考案の第２実施形態の組合せ斜視図である。
【図６】本考案の第２実施形態によるグリッドの斜視図である。
【図７】本考案の第２実施形態の組合せ断面図である。
【図８】本考案の第２実施形態による導流板及びスポイラーフィンの斜視図である。
【図９】本考案の第２実施形態による導流板及びスポイラーフィンの拡大斜視図である。
【図１０】本考案の第２実施形態による導流板及びスポイラーフィンの断面図である。
【考案を実施するための形態】
【００２３】
（第１実施形態）
図１から図４を参照する。本考案の第１実施形態では、貝類養殖システム１は、養殖槽１０と、上蓋２０と、グリッド３０と、光源アセンブリ４０を含む。
【００２４】
前記養殖槽１０は、ステンレス鋼材料または強力なプラスチック材料で作られ、その上部は開口部１１であり、その底部１２は弧状に設置される。前記養殖槽１０に設けられた弧状のフィルター５０は、不純物を取り除き、廃水を簡単に排出させることができる。前記養殖槽１０には養殖に用いられる栄養水７０が満たされる。養殖槽１０の底部１２の中央には排水口１３が設けられており、前記養殖槽の排水口１３には、栄養水７０の循環出口と不純物と廃水の出口となるスイッチ６０が固定設置される。
【００２５】
前記上蓋２０の中央には、ＬＥＤ４１をロックして固定するためのフランジ２１が設けられている。前記上蓋２０には、酸素を供給し、二酸化炭素などの排気ガスを排出するための吸気口２２および排気口２３が設けられている。前記上蓋２０には、光源アセンブリ４０の制御ユニット４２が設けられ、前記制御ユニット４２は、制御ユニット４２のＬＥＤ４１に電気的に接続し、制御ユニット４２の回路とソフトウェアにより、ＬＥＤ４１のスペクトルと十分な光度の最適化調整を行い、さまざまな貝類８０の成長のために最適化された環境要因を提供する。
前記フランジ２１は、内輪の内側にスレッド２１２を有する中央フランジ２１１を有する。ＬＥＤ４１の一端には、ＬＥＤ４１を中央フランジ２１１にロックして固定するために、中央フランジ２１１の内側のスレッド２１２と互いに対応しているロックスレッドが設けている。前記フランジ２１には、栄養水７０を注入するための注入管２１３が設けられる。栄養水７０の供給量は屋外養殖の２.５〜１２倍とし、貝類８０の成長に十分な量の飼料を提供するため、繁殖期間を短縮でき、個々の貝類８０の重量を増やすことができる。
【００２６】
図３に示すように、前記グリッド３０は、多層の養殖網３１を有する。各養殖網３１の外周には、支持外輪３１１が設けられ、内周には支持内輪３１２が設けられ、支持内輪３１２は、前記ＬＥＤ４１を通すための中空構造を有する。前記養殖網３１は、ナイロンロープや丈夫なプラスチックロープやステンレス鋼線などがメッシュに織られることで作られる。
【００２７】
各支持外輪３１１には、固定支持用の複数の垂直支持ロッド３１３が設けられ、各養殖網３１の底部にある支持外輪３１１と支持内輪３１２の間には複数の水平支持ロッド３１４が設けられて、前記養殖網３１の底部の支持力を向上させ、全体構造の安定性を維持する。
【００２８】
前記養殖網３１の上部にある垂直支持ロッド３１３の末端には、おのおの上向きに傾斜して延伸された吊り下げ支持ロッド３１６が設けられ、それらは共に吊り下げリング３１５に接続される。吊り下げ具により、グリッド３０を養殖槽１０から離すように持ち上げれば、便利に貝類８０を採取することができる。前記吊り下げリング３１５は、支持内輪３１２と同様に、ＬＥＤ４１を通すための中空構造を有する。
【００２９】
使用時には、貝類８０を養殖網３１に載せて養殖する。このとき、全体の構造を安定的に支えるため、各支持内輪３１２をほとんどの垂直支持ロッド（図示せず）で固定して支持する。
【００３０】
光源アセンブリ４０は、ＬＥＤ４１および制御ユニット４２を含む。ＬＥＤ４１は、グリッド３０の内部に設置されているため、人工光源として制御ユニット４２によって制御される。日照時間は少なくとも１日あたり１２〜１６時間（屋外養殖の約２〜３倍）に調整できるほか、適切な成長に必要なスペクトルを選択でき、水温制御にも使用される。また、ＬＥＤ４１の光源は、グリッド３０の全周にわたって均一に照射するため、グリッド３０内の輝度分布は均一となる。これにより、貝類８０の成長に最適な方法で、貝類８０の成長を均質化して加速させて生存率を高める。
【００３１】
制御ユニット４２は、電線４３でフランジ２１に接続され、ＬＥＤ４１の日照時間を調整する。このとき、さまざまな貝類８０のそれぞれの特性に適した成長スペクトルを選択することができ、貝類８０の成長率を制御し、成長を加速できる。また、回路とソフトウェアによってＬＥＤ４１を制御し、最適化されたスペクトルと光度で光を照射させるように調整し、貝類８０の成長に最適な環境要因を提供できる。
【００３２】
フィルター５０は、過剰となった残留飼料と貝類８０の排泄物等の不純物を濾過し、栄養水７０を回収し、リサイクルする。
【００３３】
水を交換する時、スイッチ６０は、循環水の排出管６１（栄養水の循環出口）の方向へ開き、使用済みの栄養水７０は、循環水の排出管６１（栄養水の循環出口）から排出される。これらは浄化装置（図示せず）に入れられて殺菌及び浄化が行われ、塩分が調整され、栄養水７０と混合される。その後、注入管２１３を介して養殖槽１０に注入され、リサイクル利用される。以上の設計により、栄養水７０の９５％以上を回収できるため、効率的なリサイクル利用ができ、水資源を節約し、無駄な浪費を抑制する。過剰となった残留飼料と排泄物等の不純物を排出する場合、スイッチ６０は、不純物の排出管６２（不純物と廃水の出口）の方向へ開いて過剰な残留飼料と排泄物等の不純物を排出する。
【００３４】
本考案によれば、貝類８０の養殖が完了して成貝を採取する時に、吊り下げ具を吊り下げリング３１５に引っ掛けて、グリッド３０の養殖網３１を養殖槽１０から吊り下げて分離することが可能であり、採取した貝類８０の取り扱いを容易にしている。採取終了後、吊り下げられたグリッド３０を下ろして養殖槽１０に入れ、更に栄養水７０の等の養分を注入して貝類８０の養殖を継続する。この採取方法は、採取時の人件費を７０％以上削減できる。
【００３５】
（第２実施形態）
図５から図７を参照する。本考案の第２実施形態は第１実施形態とほとんど同じであるため、それらの同じ部分については同じ引用符号を使用し、説明を省略する。異なる部分を以下に示す。
本考案の第２実施形態では、第１実施形態に係るグリッド３０の養殖網３１の各層には、水平支持ロッドに下向きに傾斜した栄養水導流板９０が設けられ、前記導流板９０は固定、可動のいずれかにすることができるため、養殖槽１０内に対流効果を与え、栄養水７０が各養殖網３１に向けて、同時に供給される。栄養水７０の養分は各養殖網３１に保留され、栄養水７０の養分物質が養殖中の貝類に供給され、しかも下へ導流されるため、養分物質がより簡単に貝類８０に給餌され、更に貝類８０の成長を加速することができる。
【００３６】
固定式の導流板９０の傾斜角度は、１０度〜４５度に設定され、好ましくは１５度である。可動式の導流板９０は、栄養水７０の流れにより上下にスイングする。、そのスイング角度範囲はストッパー（図示せず）により制限されるが、第２実施形態では、前記可動式の導流板９０のスイング角度範囲は、１０度〜４５度に設定される。
【００３７】
固定式または可動式の導流板９０は、必要性に応じ、少なくとも一つの傾斜スポイラーフィン９１を設けることができる。前記固定式の導流板９０の傾斜角度は、好ましくは３０度である。前記導流板９０と前記スポイラーフィン９１との間の角度は１０度〜１５度に設定されて、好ましくは１５度である。
【００３８】
図８に示す３つのスポイラーフィン９１を例として説明すると、栄養水７０が上から下に流れると、スポイラーフィン９１に突き当たる。この時、流体力学的には「乱流」が生成される。この乱流作用により、栄養水７０に含まれる栄養物質の下流速度が遅くなり、しかも流れが長くなって養殖した貝類が栄養水７０に含まれる栄養物質を摂取しやすくなるため、貝類８０の成長を早めることができる。好ましくは、スポイラーフィン９１は水流で浮かぶように柔らかい材料で作ることができ、乱流効果をさらに高めることができる。
【００３９】
本考案に係る養殖槽１０内の栄養水７０では、自然の海流をシミュレートすることもできる。この場合、人工の方式で人口気泡海流を作って貝類８０の成長を促進する。
【００４０】
本考案に係る養殖網３１は、多数の微細孔が開けられた薄いステンレス鋼板または防錆金属板で作られていてもよい。この場合も同じ効果を得ることができる。
【００４１】
本考案に係る貝類養殖システムの説明では、海水貝類の養殖を例にとって説明したが、もちろんアサリ、ムール貝、カタツムリなどの淡水貝類、淡水エビなどの養殖にも使用できる。この場合も同様の効果が得られる。
【００４２】
上述した本考案のグリッド３０は固定式であるが、もちろん複合式とすることもできる。この場合も同様な効果を得ることができる
【００４３】
本考案に係る光源アセンブリ４０のＬＥＤ４１は、蛍光灯や白熱灯に置き換えることもできる。この場合も同様の効果を得ることができる。
【００４４】
本考案に係る上記の実施形態の養殖槽１０、上蓋２０、グリッド３０では円形を例にとって説明したが、もちろん正方形、等角多角形、楕円形、梅花形などに置き換えることもできる。それらに置き換えた場合も同様の効果を得ることができる。
【００４５】
本考案は、貝類養殖環境を制御でき、餌料供給の調整もできるため、真珠貝の養殖に適用すれば、費用対効果が高い真珠貝の養殖が実現でき、高付加価値な真珠の採取が期待できる。
【００４６】
（本考案の効果）
本考案の上記の実施形態により、以下の効果を得ることができる。
１．養殖環境を制御し、貝類の成長を促進することができる。例えば日照時間を増やし、適切な成長スペクトルを選択し、水温も制御できる。また、ＬＥＤ光源はグリッドを全周にわたって均一に照らすため、グリッド内の輝度分布が均一に分散され、貝類の成長が最適化される。その結果、貝類の成長を均質化および加速して養殖期間を短縮し、単一の貝類の重量を増やし、生存率を高める。
２．スペースを節約して生産量を増やす。多層グリッドは多層の養殖網を有し、養殖の面積を大幅に増やして生産量を増やすことができる。多くの養殖網を有する本考案のシステムは、垂直または水平に配置して一連の養殖システムを組み立て、生産性を高めることができる。
３．養殖槽内の栄養水を対流させて栄養水を養殖網の各層に導くと同時に、栄養水中の養分を各層の養殖網に滞留させることができ、栄養水中の養分を養殖中の貝類に供給し、下方へ導流することで、養分物質がより簡単に貝類８０に給餌され、貝類の成長をさらに加速することができる。
４．養殖槽内に乱流を引き起こし、栄養水に含まれる栄養物質の下流速度を遅くし、しかも流れが長くなって養殖した貝類が栄養水に含まれる栄養物質を食べやすくなるため、貝類の成長を早めることができる。これは、流体力学上の「カルマン渦理論」に基づいて設計されたものである。
５．成長した貝類の採取時に、グリッドを養殖槽から持ち上げて分離することで、貝類の採取が容易になるため、大幅に採取の手間を節約できる。
６．、密閉式の養殖槽での養殖により、循環水が濾過及び浄化処理されるため、汚染のリスクもない。
【００４７】
以上、本考案は非常に優れた考案であるから、ここに出願する。なお、上述の内容は、本考案の好ましい実施形態を例示したものであって、本考案の実用新案登録請求の範囲に対する同等範囲での技術的変更および修正は、本考案の実用新案登録請求の範囲に包含されるべきである。
【符号の説明】
【００４８】
１      養殖システム
１０      養殖槽
１１      開口部
１２      底部
１３      排水口
２０      上蓋
２１      フランジ
２１３      注入管
２２      吸気口
２３      排気口
３０      グリッド
３１      養殖網
３１１      支持外輪
３１２      支持内輪
３１３      垂直支持ロッド
３１４      水平支持ロッド
３１５      吊り下げリング
３１６      吊り下げ支持ロッド
４０      光源アセンブリ
４１      ＬＥＤ
４２      制御ユニット
４３      電線
５０      フィルター
６０      スイッチ
６１      循環水の排出管（栄養水の循環出口）
６２      不純物の排出管（不純物と廃水の出口）
７０      栄養水
８０      貝類
９０      導流板
９１      スポイラーフィン
【図１】
0003227885.tif 000003
【図２】
0003227885.tif 000004
【図３】
0003227885.tif 000005
【図４】
0003227885.tif 000006
【図５】
0003227885.tif 000007
【図６】
0003227885.tif 000008
【図７】
0003227885.tif 000009
【図８】
0003227885.tif 000010
【図９】
0003227885.tif 000011
【図１０】
0003227885.tif 000012